(57)【特許請求の範囲】
【請求項１】
複数の点字が表示された板状の第１点字表示部材と、
前記第１点字表示部材を回転する第１回転駆動部材と、
複数の点字が表示された板状の第２点字表示部材と、
前記第２点字表示部材を回転する第２回転駆動部材と、
前記第１点字表示部材と前記第２点字表示部材を収容する筐体と、を備えた点字用時計
であって、
前記筐体には前記第１点字表示部材及び前記第２点字表示部材の前記点字を表示するための開口が形成され、
前記開口から見た場合に、前記第１点字表示部材と前記第２点字表示部材の点字の回転軌跡が重なっており、
前記第１点字表示部材と前記第２点字表示部材の点字を表示するそれぞれの開口の間に段差を設けてあることを特徴とする点字用時計。
【請求項２】
複数の点字が表示された錐台形の第１点字表示部材と、
前記第１点字表示部材を回転する第１回転駆動部材と、
複数の点字が表示された錐台形の第２点字表示部材と、
前記第２点字表示部材を回転する第２回転駆動部材と、
前記第１点字表示部材と前記第２点字表示部材を収容する筐体と、を備えた点字用時計であって、
前記筐体には前記第１点字表示部材及び前記第２点字表示部材の前記点字を表示するための開口が形成され、
前記開口から見た場合に、前記第１点字表示部材と、前記第２点字表示部材の点字の回転軌跡が重なっていることを特徴とする点字用時計。
【請求項３】
複数の点字が表示され、点字の表示面が第１軸に対して斜めの第１点字表示部材と、
前記第１軸を中心に前記第１点字表示部材を回転する第１回転駆動部材と、
複数の点字が表示され、点字の表示面が第２軸に対して斜めの第２点字表示部材と、
前記第２軸を中心に前記第２点字表示部材を回転する第２回転駆動部材と、
前記第１点字表示部材と前記第２点字表示部材を収容する筐体と、を備えた点字用時計であって、
前記筐体には前記第１点字表示部材及び前記第２点字表示部材の前記点字を表示するための開口が形成され、
前記開口から見た場合に、前記第１点字表示部材と、前記第２点字表示部材の点字の回転軌跡が重なっていることを特徴とする点字用時計。
【請求項４】
前記錐台形の第１点字表示部材と前記錐台形の第２点字表示部材の点字表示面を多角形としたことを特徴とする請求項２記載の点字用時計。
【請求項５】
前記第１点字表示部材と前記第２点字表示部材の回転中心線が平行であることを特徴とする請求項２、３、４記載の点字用時計。
【発明の詳細な説明】
【技術分野】
【０００１】
本発明は点字時計用表示装置に関するものである。
【背景技術】
【０００２】
従来の視覚障害者用の時計機能として、音声による時刻通知機能がある。しかし、音声による通知機能は電車内や繁華街などの騒音の大きい場所では聞き取ることが困難であり、正確な時刻を知ることができなかった。
【０００３】
各触覚ピンに連結されたアクチュエータなどを用いて突出させる点字表示装置を用いて時刻を表示し、それを視覚障害者が指先で触れることで時刻を読みとる点字時計は特開2000-249781で提案されている。
【０００４】
多角形の回転体上に特定の数字をあらかじめ点字で表示しておき、前記回転体を回転させ、筐体に設けられた開口から任意の面を露出させることで表示を行う点字表示装置は特開2007-003739で提案されている。
【先行技術文献】
【特許文献】
【０００５】
【特許文献１】特開2000-249781号公報
【特許文献２】特開2007-003739号公報
【発明の概要】
【発明が解決しようとする課題】
【０００６】
時計用の点字表示装置は安価でかつ小型であることが望ましい。しかし、特許文献１は点字を表示させるためには各ピンを動作させる複数のアクチュエータが必要になるため高価になり、特許文献２は小型の時計に用いることを想定したものではないため厚みがある。
【０００７】
本発明は、騒音の中でも容易に時刻の確認が可能で、安価な点字表示装置であり、限られた設置スペースでも利用可能な時計用点字表示装置を提供することを目的とする。
【課題を解決するための手段】
【０００８】
本発明は、複数の点字が表示された板状の第１点字表示部材と、前記第１点字表示部材を回転する第１回転駆動部材と、複数の点字が表示された板状の第２点字表示部材と、前記第２点字表示部材を回転する第２回転駆動部材と、前記第１点字表示部材と前記第２点字表示部材を収容する筐体と、を備えた点字用時計であって、前記筐体には前記第１点字表示部材または前記第２点字表示部材の前記点字を表示するための開口が形成され、前記開口から見た場合に、前記第１点字表示部材の回転軌跡と、前記第２点字表示部材の回転軌跡が重なっていることを特徴とする。
【０００９】
本発明は、複数の点字が表示された錐台形の第１点字表示部材と、前記第１点字表示部材を回転する第１回転駆動部材と、複数の点字が表示された錐台形の第２点字表示部材と、前記第２点字表示部材を回転する第２回転駆動部材と、前記第１点字表示部材と前記第２点字表示部材を収容する筐体と、を備えた点字用時計であって、前記筐体には前記第１点字表示部材または前記第２点字表示部材の前記点字を表示するための開口が形成され、前記開口から見た場合に、前記第１点字表示部材の回転軌跡と、前記第２点字表示部材の回転軌跡が重なっていることを特徴とする。
【００１０】
前記錐台形の第１点字表示部材と、前記錐台形の第２点字表示部材の点字表示面を多角形としたことが好ましい。
【００１１】
本発明は、複数の点字が表示された板状の第１点字表示部材と、前記第１点字表示部材を回転する第１回転駆動部材と、前記第１点字表示部材の回転軌跡内に収まる大きさの、複数の点字が表示された板状の第２点字表示部材と、前記第２点字表示部材を回転する第２回転駆動部材と、前記第１点字表示部材と前記第２点字表示部材を収容する筐体と、を備えた点字用時計であって、前記第１点字表示部材は前記第２点字表示部材が格納可能な空間を持ち、前記筐体には前記第１点字表示部材または前記第２点字表示部材の前記点字を表示するための開口が形成されたことを特徴とする。
【００１２】
前記第１点字表示部材と前記第２点字表示部材の回転中心線が平行であることが好ましい。
【発明の効果】
【００１３】
本発明によれば、音の中でも容易に時刻の確認が可能で、安価な点字表示装置であり、限られた設置スペースでも利用可能な時計用点字表示装置を提供することができる。
【図面の簡単な説明】
【００１４】
【図１】本発明による点字表示時計の１実施例を示す模式図の（A）平面図、（B）正面図である。
【図２】本発明による点字表示時計の別の１実施例を示す模式図である。
【図３】本発明による点字表示時計のさらに別の１実施例を示す模式図である。
【発明を実施するための形態】
【００１５】
図１に示すように、あらかじめ点字で0〜9までの数字を表示させた円盤１１と円盤１２と円盤１３と、それらを駆動させるモーター１４とモーター１５とモーター１６を持ち、円盤１１、１２、１３とモーター１４、１５、１６を収める筐体１７からなり、筐体１７には開口１７aと１７b、１７ｃを設けてある。円盤１１と円盤１２、円盤１２と円盤１３は互いに点字が突設された面が重なるように配置する。モーター１４、１５、１６は円盤１１、１２、１３を内蔵クロックに合わせて一定角度ずつ回転駆動させることで開口１７a、１７b、１７ｃから点字表示面が露出し時刻表示を行うことができる。
【００１６】
図２に示すように、あらかじめ点字で0〜9までの数字を表示させた錐台２１と錐台２２、錐台２３と、それらを駆動させるモーター１４とモーター１５、モーター１６を持ち、錐台２１、２２、２３とモーター１４、１５、１６を収める筐体１７からなり、筐体１７には開口１７aと１７b、１７ｃを設けてある。錐台２１、２２、２３は斜面が筐体１７に設けられた開口１７a、１７b、１７ｃに対して水平になるよう角度をつけて配置に配置される。モーター１４、１５、１６は錐台２１、２２、２３を内蔵クロックに合わせて一定角度ずつ回転駆動させることで開口１７a、１７b、１７ｃから点字表示面が露出し時刻表示を行うことができる。
【００１７】
図３に示すように、あらかじめ点字で0〜9までの数字を表示させた円環板３１と円環板３２と円盤３３、それらを駆動させるモーター１４とモーター１５とモーター１６を持ち、円環３１、円環３２と円盤３３とモーター１４、１５、１６を収める筐体１７からなり、筐体１７には開口１７aと１７b、１７ｃを設けてある。円環３１は円環３２と円盤３３を中央の空間に収めることができるようにする。モーター１４、１５、１６は円環３１、３２と円盤３３を内蔵クロックに合わせて一定角度ずつ回転駆動させることで開口１７a、１７b、１７ｃから点字表示面が露出し時刻表示を行うことができる。
【００１８】
円環３１の回転中心と円環３２、円盤３３の回転中心を直線状に平行に並べて配置することで点字の表示面積を調節できる。回転駆動に用いるモーターはステッピングモーターを用いることで高精度に駆動することができる。
【００１９】
点字表示部材（円盤、錐台、円環板等）一つにつき、１つの回転駆動部材（モータ）で表示制御を行えるため、低価格で点字表示を行うことができる。また、点字表示部材（円盤、錐台、円環板等）を板状にすることで、筐体を薄くすることができる。このため、持ち運びが容易となり、腕時計などに用いることができる。
【符号の説明】
【００２０】
１１、１２、１３    円盤
１４、１５    モーター
１７          筐体
１７a、１７b  開口
２１、２２、２３  錐台
３１、３２          円環板
３２          円盤
【要約】
【課題】小型の時計用点字表示装置を安価に提供する。
【解決手段】０〜９までの数字をあらかじめ点字で表示させておいた、円盤１１と円盤１２と円盤１３と、それを駆動するモーター１４とモーター１５とモーター１６を収める筐体１７からなり、筐体１７に設けられた開口１７a、開口１７ｂ、開口１７ｃから円盤１１、１２、１３の点字が突出した面を表示させることで小型かつ、少ないモーターにより安価な時計用点字表示装置を提供できる。
【選択図】図１【図１】
0005886995.tif 000002
【図２】
0005886995.tif 000003
【図３】
0005886995.tif 000004